(57)【特許請求の範囲】
【請求項１】
建物躯体に結合され、かつ建物の表面部材で覆われるベース部と、このベース部から前記表面部材に挿通されて建物外側に延設されるとともに、長さ方向に連続する断面形状が内外を連通させる欠部を有する欠部付き断面形状になっていてかつ建物用付設物の梁が取り付けられるアーム部とを備える建物用付設物の取付具において、
前記アーム部には、このアーム部を挿通させるために前記表面部材に形成されている挿通部において前記欠部を塞いでアーム部内部に閉空間を形成する遮蔽部材が当てがわれ、この遮蔽部材が当てがわれた前記アーム部が前記挿通部に挿通され、この挿通部の内側と、前記遮蔽部材を含む前記アーム部の外側との間に生じていて前記遮蔽部材を含む前記アーム部の外側の全周に亘って生じている隙間の全体にシーリング材が充填されており、
前記遮蔽部材の前記建物の側の端部は前記ベース部に当接され、前記アーム部の長さ方向における前記遮蔽部材の長さは、この遮蔽部材の前記建物とは反対側の端部が前記表面部材の表面と同じ位置又はこの表面から突出する位置まで達する長さとなっていることを特徴とする建物用付設物の取付具。
【請求項２】
請求項１に記載の建物用付設物の取付具において、前記ベース部は前記建物躯体にボルト、ナットで結合され、前記表面部材は前記ボルトの頭部を覆っていることを特徴とする建物用付設物の取付具。
【請求項３】
請求項２に記載の建物用付設物の取付具において、前記ベース部には前記ボルトの頭部が嵌入される凹部が形成され、前記表面部材は前記ベース部の表面に接触していることを特徴とする建物用付設物の取付具。
【請求項４】
請求項１〜３のいずれかに記載の建物用付設物の取付具において、前記梁は、前記アーム部の外側に嵌合挿入される中空状の部材となっていることを特徴とする建物用付設物の取付具。
【請求項５】
請求項１〜４のいずれかに記載の建物用付設物の取付具において、前記ベース部には、根太受け部材を前記建物に取り付けるために前記建物躯体に達する止着具を通すための欠部が形成されていることを特徴とする建物用付設物の取付具。
【請求項６】
請求項１〜５のいずれかに記載の建物用付設物の取付具において、前記アーム部は、前記ウェブと、このウェブの少なくとも両端から同一方向へ延びる２個のフランジとで長さ方向に連続する前記断面形状が形成された材料からなり、前記遮蔽部材は前記２個のフランジの先端間に架設されていることを特徴とする建物用付設物の取付具。
【請求項７】
請求項１〜６のいずれかに記載の建物用付設物の取付具において、前記表面部材は前記建物の外装材であることを特徴とする建物用付設物の取付具。
【請求項８】
請求項１〜６のいずれかに記載の建物用付設物の取付具において、前記表面部材は、建物の外装材と建物内外方向における同一位置又は略同一位置に配置されて建物外部に露出するカバー部材であることを特徴とする建物用付設物の取付具。
【請求項９】
請求項１〜８のいずれかに記載の建物用付設物の取付具を用いて建物に建物用付設物が取り付けられることを特徴とする建物用付設物の取付構造。
【発明の詳細な説明】
【０００１】
【発明の属する技術分野】
本発明は、建物用付設物を建物に取り付けるために用いる取付具及び建物用付設物の取付構造に係り、例えば、バルコニ、庇、集合住宅の外階段、外廊下等の建物用付設物の取り付けのために利用できるものである。
【０００２】
【背景技術】
建物用付設物であるバルコニは、取付具を介して建物に取り付けられる。図８〜図１１は、支柱で支持されないタイプのバルコニ１１を建物１に取り付けるために用いられている従来の取付具７１を示す。図８は、取付具７１を建物表面部材が取り付けられる前の建物１の躯体である柱２に取り付けた状態を示し、図９は、図８の後に、建物１の柱２、桁梁３等に胴縁４（図１１参照）を介して建物１の表面部材である外装材５を取り付けたときを示し、図１０は、取付具７１と外装材５との間の隙間にシーリング材６を充填した後における図９のＳ１０−Ｓ１０線断面図であり、図１１は、バルコニ１１の妻梁１２を取付具７１を介して建物１に取り付けた後における建物１の縦断面図である。
【０００３】
図８〜図１１は、バルコニ構造材である妻梁１２の本数が２本となっているバルコニ１１を建物１に取り付ける場合であるため、図８で示されているとおり、取付具７１は２個使用されている。それぞれの取付具７１は、建物１の柱２にボルト７５，７６とナット７７，７８（図１１参照）で結合されるベース部７２と、このベース部７２に基端部が溶接で接合され、ベース部７２から直角に一定長さ延びるアーム部７３と、ベース部７２に固定されてアーム部７３と同じ方向に延びるねじ軸７４とからなる。
【０００４】
図８に示すように、アーム部７３はチャンネル材からなり、このため、アーム部７３は、垂直のウェブ７３Ａと、このウェブ７３Ａの上下両端から同じ水平方向に延びる２個のフランジ７３Ｂとからなる断面形状が、アーム部７３の長さ方向に連続したものとなっている。したがって、アーム部７３は、上下２個のフランジ７３Ｂの間が欠部となった欠部付き材料で形成されており、この欠部を介してアーム部７３の内外が連通している。
【０００５】
ベース部７３をボルト７５，７６、ナット７７，７８で柱２に結合した後、アーム部７２を挿通させるための挿通部になっている切欠部５Ａ（図９、図１０、図１１参照）及びねじ軸７４を挿通させるための貫通孔５Ｂ（図１０参照）が形成されている外装材５を図１１のように胴縁４に結合し、アーム部７３とねじ軸７４を切欠部５Ａと貫通孔５Ｂから建物外側へ延設させ、ベース部７２を外装材５で覆う。次いで、図１０に示すように、切欠部５Ａの内部及び貫通孔５Ｂの内部にシーリング材６を充填し、切欠部５Ａとアーム部７３との間の隙間及び貫通孔５Ｂとねじ軸７４との間の隙間をシーリング材６で埋める。
【０００６】
この後、それぞれの取付具７１に設けられているねじ軸７４に、図９で示すように、根太受け部材１３の両端部に形成されている孔を嵌合することにより、この根太受け部材１３を２本のねじ軸７４で支持させるとともに、それぞれのねじ軸７４にナットを螺合することにより根太受け部材１３をねじ軸７４に取り付ける。また、それぞれの取付具７１のアーム部７３の外周にバルコニ１１の中空に形成されている妻梁１２を嵌合挿入し、そして、妻梁１２をアーム部７３にボルト、ナットで結合し、バルコニのそれぞれの根太の建物側の端部を根太受け部材１３に載せ、これにより、根太を根太受け部材１３で支持させる。
【０００７】
なお、ベース部７２を柱２に取り付けるためにボルト７６、ナット７８が使用されず、これの代わりに柱２にねじ込まれるスクリュー釘等が用いられる場合もあった。
【０００８】
【発明が解決しようとする課題】
以上の従来の取付具７１によると、アーム部７３は、ウェブ７３Ａとフランジ７３Ｂからなる断面形状が複雑なチャンネル材で形成されていて、その断面形状は欠部付き断面形状になっているため、図１０に示されているように、このアーム部７３を建物外装材５の四角形状の切欠部５Ａに挿通させたとき、切欠部５Ａの内部でアーム部７３との間に生ずる隙間は、アーム部７３の断面形状に対応して複雑なものとなり、しかも、アーム部７３との間で大きな間隔となった部分も生ずる。
【０００９】
このため、この切欠部５Ａにシーリング材６を隙間なく充填する作業に手間がかかり、シーリング材施工作業の点で問題があった。
【００１０】
本発明の目的は、建物の表面部材にアーム部を挿通させるための挿通部が形成されている場合に、この挿通部にシーリング材を充填する作業を容易に行えるようになる建物用付設物の取付具及び建物用付設物に取付構造を提供するところにある。
【００１１】
【課題を解決するための手段】
本発明に係る建物用付設物の取付具は、建物躯体に結合され、かつ建物の表面部材で覆われるベース部と、このベース部から前記表面部材に挿通されて建物外側に延設されるとともに、長さ方向に連続する断面形状が内外を連通させる欠部を有する欠部付き断面形状になっていてかつ建物用付設物が取り付けられるアーム部とを備える建物用付設物の取付具において、前記アーム部には、このアーム部を挿通させるために前記表面部材に形成されている挿通部において前記欠部を塞いでアーム部内部に閉空間を形成する遮蔽部材が当てがわれ、この遮蔽部材が当てがわれた前記アーム部が前記挿通部に挿通され、この挿通部の内側と、前記遮蔽部材を含む前記アーム部の外側との間に生ずる隙間にシーリング材が充填されることを特徴とするものである。
【００１２】
この取付具によると、アーム部の長さ方向に連続する断面形状がこのアーム部の内外を連通させる欠部を有する欠部付き断面形状になっていても、アーム部には、このアーム部を挿通させるために前記表面部材に形成されている挿通部において欠部を塞いでアーム部内部に閉空間を形成する遮蔽部材が当てがわれ、この遮蔽部材が当てがわれたアーム部が表面部材の挿通部に挿通されるため、この挿通部の内部における遮蔽部材を含むアーム部の断面形状を、例えば、四角形等の単純な形状にすることができる。このため、この挿通部の内側と、遮蔽部材を含むアーム部の外側との間に生ずる隙間にシーリング材を充填する作業を容易に行える。
【００１３】
本発明に係る建物用付設物の取付具において、アーム部は、長さ方向に連続する断面形状が内外を連通させる欠部を有する欠部付き断面形状になっている材料で形成されていればよく、したがってアーム部は、例えば、チャンネル材で形成されていてもよく、Ｉ型鋼で形成されていてもよく、Ｈ型鋼で形成されていてもよく、アングル材で形成されていてもよく、さらには、断面Ｅ字状の材料で形成されていてもよい。また、これら材料は断面横向きに使用してもよく、断面縦向きに使用してもよく、断面斜め向きに使用してもよい。
【００１４】
さらに、アーム部に対する遮蔽部材の配置位置は、アーム部の断面形状等に応じて任意に決めることができるものであり、前記表面部材の挿通部でアーム部の断面形状における欠部を塞いで前記閉空間を形成することができる任意な位置に遮蔽部材を配置できるとともに、閉空間を形成するために用いる遮蔽部材の個数も任意である。
【００１５】
また、遮蔽部材の形状は、アーム部の欠部付き断面形状におけるその欠部に応じた任意な形状とすることができ、例えば、欠部の形状が平面形状であれば、遮蔽部材を平面形状としてもよく、あるいは、アーム部がアングル材で形成され、このためアーム部の欠部がＬ字形状となっている場合には、遮蔽部材をアングル材のように断面Ｌ字形状を有する材料で形成し、この遮蔽部材用材料とアーム部とを互いに上下を逆にして抱き合わせ結合することにより、アーム部の欠部を遮蔽部材用材料で塞ぐようにしてもよい。
【００１６】
また、他の例としてアーム部が、ウェブと、このウェブの少なくとも両端から同一方向へ延びる２個のフランジとでアーム部の長さ方向に連続する断面形状が形成された材料からなる場合には、遮蔽部材は２個のフランジの先端間に架設される。これにより四角形状の閉空間が形成され、前記表面部材に四角形の挿通部を形成することにより、この挿通部の内側における遮蔽部材を含むアーム部との間の隙間を、狭い間隔がアーム部の外周全部に亘って連続したものとすることができる。これにより、挿通部の内部にシーリング材を充填する作業を容易に行えることになる。
【００１７】
なお、この場合における遮蔽部材が架設される２個のフランジの先端間とは、２個のフランジの先端内側の間でもよく、２個のフランジの先端面同士の間でもよい。
【００１８】
また、アーム部がチャンネル材、Ｉ型鋼、Ｈ型鋼、アングル材等の任意な材料で形成されている場合において、遮蔽部材を含むアーム部の外側全部に亘って表面部材の挿通部の内側との間で隙間が生ずるときは、アーム部の外側全部に亘ってシーリング材を充填する作業を行うようにし、また、遮蔽部材を含むアーム部の外側一部だけが挿通部の内面に接触し、このためアーム部の残りの部分だけに挿通部の内側との間で隙間が生じるときは、この残りの部分だけにシーリング材を充填してもよく、あるいは、アーム部の外側全部に亘ってシーリング材を充填するようにしてもよい。
【００１９】
また、アーム部を挿通させるために表面部材に形成される挿通部は、表面部材の端部まで達する切り込み部が形成されていない無欠状のものでもよく、あるいは、このような切り込み部を有するもの又は表面部材の端部で開口するものでもよい。
【００２０】
また、取付具のアーム部を挿通させる建物の表面部材は任意な部材でよく、この表面部材は、建物の外装材でもよく、取付具が前記ベース部を覆うカバー部材を有するときは、このカバー部材でもよい。すわなち、取付具が、建物の外装材と建物内外方向における同一位置又は略同一位置に配置されて建物外部に露出し、かつベース部を覆うカバー部材を備えたものとなっているときは、前記表面部材はこのカバー部材でもよい。
【００２１】
また、以上の本発明において、建物用付設物が付設される建物は、軸組み工法によるものでもよく、パネル工法によるものでもよく、ユニット工法によるものでもよい。
【００２２】
また、取付具のベース部が結合される建物躯体は任意であり、例えば、柱、梁、壁等でもよい。
【００２３】
さらに、建物は木造建物でもよく、カーテンウォール等を使用するＳ造建物でもよく、ＲＣ造建物でもよく、ＳＲＣ造建物等でもよい。
【００２４】
本発明に係る建物用付設物の取付構造は、以上説明した取付具を使用して建物用付設物を建物に取り付けることを特徴とするものである。
【００２５】
この建物用付設物は、例えば、バルコニでもよく、シャッター装置のシャッターケースでもよく、オーニング装置の収納ケースでもよく、ロールスクリーン装置の収納ケースでもよく、庇でもよく、アンテナでもよく、看板等でもよい。さらに、建物が集合住宅である場合には、建物用付設物は、外階段でもよく、外廊下でもよい。建物用付設物がバルコニである場合において、このバルコニは支柱で支持されないタイプでもよく、支柱で支持されるタイプでもよい。
【００２６】
また、本発明に係る取付具によって建物用付設物が付設される建物は、軸組み工法によるものでもよく、パネル工法によるものでもよく、ユニット工法によるものでもよい。
【００２７】
さらに、建物は木造建物でもよく、カーテンウォール等を使用するＳ造建物でもよく、ＲＣ造建物でもよく、ＳＲＣ造建物等でもよい。
【００２８】
本発明に係る建物用付設物の取付構造は、以上説明した取付具を使用して建物用付設物を建物に取り付けることを特徴とするものである。
【００２９】
この建物用付設物は、例えば、バルコニでもよく、シャッター装置のシャッターケースでもよく、オーニング装置の収納ケースでもよく、ロールスクリーン装置の収納ケースでもよく、庇でもよく、アンテナでもよく、看板等でもよい。さらに、建物が集合住宅である場合には、建物用付設物は、外階段でもよく、外廊下でもよい。建物用付設物がバルコニである場合において、このバルコニは支柱で支持されないタイプでもよく、支柱で支持されるタイプでもよい。
【００３０】
また、以上説明した本発明において、シーリング材は任意な種類のものでよく、例えば、充填前は液体状又はゲル状のものであって充填してから一定時間経過後に固体状又は弾力性を有するようになるものでもよく、また、ゴムや多孔質の合成樹脂等のように最初から弾力性を有し、充填作業が圧入によって行われるものでもよい。
【００３１】
【発明の実施の形態】
以下に本発明の実施形態を図面に基づいて説明する。本実施形態は、建物用付設物が支柱で支持されないタイプのバルコニである場合であり、図１は、このバルコニ１１を示している。バルコニ１１は、図８、図９と同じ構造で建てられた建物１から延びる妻梁１２と、２本ある妻梁１２の間に架設された桁梁１４とが構造材となって形成されており、妻梁１２と桁梁１４に手摺り１５が立設されている。それぞれの妻梁１２は、建物１の躯体に結合された本実施形態に係る取付具２１を介して建物躯体に取り付けられ、妻梁１２と取付具２１との結合は、取付具２１のアーム部２３に妻梁１２をボルト１６、ナットで締結することによりなされている。また、手摺り１５のトップレール１７等は、建物１の躯体にビス等の止着具１８で止められたブラケット１９を介して建物躯体に結合されている。
【００３２】
また、桁梁１４の長手方向に複数並設されているバルコニ１１の根太２０の建物１側の端部は、建物１に固定された根太受け部材１３に載せられて支持されている。
【００３３】
取付具２１の全体構造は、図２で示されている。この取付具２１は、縦長で厚板状のベース部２２と、このベース部２２に基端部が溶接で接合され、ベース部２２から直角に建物外側へ一定長さ延びるアーム部２３と、このアーム部２３に当てがわれて溶接で固定された板状の遮蔽部材２４とからなる。ベース部２２は建物１の柱２にボルト２５，２６とナット２７，２８（図６参照）で結合され、アーム部２３は、図６で示されているとおり、建物１の表面部材となっている建物外装材５に形成された切欠部５Ａを通って建物外側へ延びるものとなっている。
【００３４】
この切欠部５Ａは、外装材５にアーム部２３を挿通させるために形成されたアーム部用の挿通部となっており、また、外装材５は、建物１の柱２、桁梁３（図２、図３参照）等に結合された図６で示す胴縁７に取り付けられている。
【００３５】
図２に示すように、アーム部２３はチャンネル材からなり、このため、アーム部２３の縦断面形状は、垂直のウェブ２３Ａと、このウェブ２３Ａの上下両端から同じ水平方向に同じ長さだけ延びる２個のフランジ２３Ｂとで形成され、この断面形状がアーム部２３の長さ方向に連続している。したがって、アーム部２３の長さ方向に連続する断面形状は、２個のフランジ２３Ｂの間がアーム部２３の内外を連通させる欠部となった欠部付き断面形状となっている。遮蔽部材２４は、このような断面形状を有するアーム部２３におけるベース部２２との接続部において、２個のフランジ２３Ｂの先端内側の間に架設され、これらのフランジ２３Ｂに溶接で結合されている。これにより、アーム部２３の上記欠部は遮蔽部材２４で塞がれ、アーム部２３の内部には、ウェブ２３Ａとフランジ２３Ｂと遮蔽部材２４で囲まれた閉空間が形成されている。
【００３６】
遮蔽部材２４の建物１側の端部はベース部２２に当接されており、アーム部２３の長さ方向における遮蔽部材２４の長さは、ベース部２２が柱２に結合されたときに、遮蔽部材２４の建物１とは反対側の端部が前記建物外装材５の表面と同じ位置又はこの表面から突出する位置まで達する長さとなっている。
【００３７】
図６に示すように、ベース部２２の表面には凹部２２Ａ，２２Ｂが形成され、これらの凹部２２Ａ，２２Ｂに前記ボルト２５，２６の頭部２５Ａ，２６Ａが嵌入されるようになっている。
【００３８】
また、図２に示されているとおり、ベース部２２には側面で開口する欠部２２Ｃが形成されている。
【００３９】
建物１にバルコニ１１を取り付ける作業を行うときは、先ず、バルコニ１１の妻梁１２と同じ個数用意した取付具２１のそれぞれベース部２２をボルト２５，２６、ナット２７，２８により建物躯体である柱２に結合する。なお、ボルト２６、ナット２８を使用せず、これの代わりに柱２にねじ込まれるスクリュー釘等の止着具を用い、この止着具でベース部２２を柱２に仮止めしてからベース部２２をボルト２５、ナット２７で柱２に本結合するようにしてもよい。次いで、柱２、桁梁３に外装材５を取り付ける作業を行い、この作業は、図３で示すように、外装材５にアーム部２３の挿通部として形成されている切欠部５Ａにアーム部２３を挿通させて行う。これにより、ベース部２２を外装材５で覆う。
【００４０】
表面部材５の切欠部５Ａは、遮蔽部材２４を含むアーム部２３の縦断面形状と相似形又は略相似形をなす形状であって、この縦断面形状よりも少し大きい。
【００４１】
この後、図３で示されている孔明け加工治具３０を用いることにより、外装材５に孔明け加工を行うための位置を定め、そして、外装材５に孔明け加工を行う。この孔明け加工治具３０は板状のものであって、下面からアーム部２３と同じ幅寸法で上方へ切り込まれた切り込み部３０Ａを有し、また、この切り込み部３０Ａをアーム部２３に上側から落とし込み嵌合したときにベース部２２の前記欠部２２Ｃと一致する位置には、孔３０Ｂが形成されている。切り込み部３０Ａをアーム部２３に上側から落とし込み嵌合した後、孔３０Ｂにドリル等の孔明け加工具を挿入し、欠部２２Ｃと一致する外装材５の位置に孔を形成する。
【００４２】
この孔明け加工治具３０を用いた外装材５への孔明け加工作業は、それぞれの取付具２１ごとに行い、図３の左側の取付具２１のアーム部２３に切り込み部３０Ｂを落とし込み嵌合して外装材５の一箇所に孔明け加工を行った後、同じ孔明け加工治具３０を表裏逆とし、図３の右側の取付具２１のアーム部２３に切り込み部３０Ｂを落とし込み嵌合して外装材５の他の箇所に孔明け加工を行う。これにより、左右２個の取付具２１のアーム部２３の間において、外装材５に２個の孔を形成する。
【００４３】
次いで、図４に示すように、外装材５に横長の根太受け部材１３を当てがい、この根太受け部材１３の両端部を、根太受け部材１３に予め設けられている孔と、外装材５に孔明け加工治具３０を用いて形成した孔と、ベース部２２に形成されている欠部２２Ｃとを通って柱２まで達するスクリュー釘等の止着具１３Ａによって建物１に取り付ける。
【００４４】
そして、図４のＳ５−Ｓ５線断面図である図５で示すとおり、外装材５の切欠部５Ａの内部にシーリング材６を充填する作業を行い、これにより、切欠部５Ａの内側と、遮蔽部材２４を含むアーム部２３の外側との間の隙間Ｓをシーリング材６によって埋める。切欠部５Ａにおいては、アーム部２３の２個のフランジ２３Ｂの先端内側の間に遮蔽部材２４が架設され、これによってアーム部２３の断面形状における前記欠部は遮蔽部材２４で塞がれているため、この切欠部５Ａの箇所でのアーム部２３の断面形状は、内部が閉空間２３Ｃとなった四角形となっており、切欠部５Ａもこの四角形よりも少し大きい四角形となっているため、隙間Ｓは、遮蔽部材２４を含むアーム部２３の全周に亘って同じ幅寸法又は略同じ幅寸法で連続したものとなっている。このような隙間Ｓにシーリング材６を充填する作業を行うのである。
【００４５】
この後、図４で示されているバルコニ１１の中空状の妻梁１２をアーム部２３に嵌合挿入し、図６で示すように、妻梁１２の先端を外装材５に当接させてから、図１で示したボルト１６、ナットで妻梁１２をアーム部２３に締結する。また、バルコニ１１のそれぞれの根太２０の建物１側の端部を根太受け部材１３に載せて支持させる。
【００４６】
以上により、バルコニ１１は取付具２１を介して建物１に取り付けられたことになる。
【００４７】
以上の本実施形態によると、取付具２１のアーム部２３がウェブ２３Ａとフランジ２３Ｂとからなる複雑な断面形状となったチャンネル材で形成されていても、外装材５の切欠部５Ａに対応するアーム部２３の箇所には遮蔽部材２４が当てがわれ、アーム部２３の断面形状における前記欠部は遮蔽部材２４で塞がれているため、この箇所でのアーム部２３の断面形状を内部が閉空間２３Ｃとなった単純な形状の四角形とすることができる。このため、切欠部５Ａの形状を、ウェブ２３Ａとフランジ２３Ｂとからなる本来のチャンネル材の複雑な断面形状よりも形成加工作業が簡単な四角形としても、切欠部５Ａの内側と遮蔽部材２４を含むアーム部２３の外側との間にできる隙間Ｓを、アーム部２３の全周に亘って同じ幅寸法又は略同じ幅寸法が連続したものにすることができる。このため、シーリング材６を切欠部５Ａの内部に充填し、切欠部５Ａを通って雨水等が建物内部に侵入するのを防止する作業を容易に行えるようになる。
【００４８】
また、ベース部２２には、図６で示したとおり、このベース部２２を柱２に結合するためのボルト２５，２６の頭部２５Ａ、２６Ａを没入させることができる凹部２２Ａ，２２Ｂが形成されているため、このような凹部が形成されていない図１１の従来の取付具７１と比べた場合、図６で示した胴縁７の厚さ寸法が図１１の胴縁４の厚さ寸法よりも小さく、したがって柱２から外装材５までの間隔が小さくなっている建物についても、外装材５の内側にベース部２２を配置し、ベース部２２を外装材５で覆うことができるという効果を得られる。
【００４９】
さらに、本実施形態の取付具２１においては、図８で示した従来の取付具７１のベース部７２におけるねじ軸７４は省略され、根太受け部材１３を取り付け支持するためのこのねじ軸７４に代わりに、孔明け加工治具３０で外装材５に孔加工を行うことにより根太受け部材１３を止着具１３Ａで建物１に固定するようにしたため、ねじ軸７４が貫通する孔を外装材５に形成する作業、及びこの孔とねじ軸７４との間にシーリング材を充填する作業を省略できるようになる。
【００５０】
図７は別実施形態を示す。この実施形態は、取付具２１のベース部２２がカバー部材４０で覆われる実施形態を示す。すなわち、この実施形態では、ベース部２２と、アーム部２３と、遮蔽部材２４と、カバー部材４０とで取付具２１が形成されている。このカバー部材４０には、アーム部２３を挿通させる挿通部である貫通孔４０Ａが形成されている。
【００５１】
カバー部材４０は、ベース部２２を覆った状態で釘等の止着具４１で建物１の柱２に結合され、これによりカバー部材４０は、このカバー部材４０の配置位置を除いて胴縁７に結合されている建物外装材５と建物内外方向における同一位置又は略同一位置に配置される。このため、カバー部材４０は建物外部に露出し、外装材５と共に建物１の表面部材を形成するものとなっている。
【００５２】
この実施形態は、建物１の表面部材が、前記実施形態では建物外装材５であったのに対し、取付具２１のベース部２２を覆うカバー部材４０となったものであり、カバー部材４０の貫通孔４０Ａに対応するアーム部２３の箇所に前記実施形態と同じく遮蔽部材２４を設けることにより、この実施形態でもシーリング材６の充填作業に関する前記実施形態と同じ作用効果を得られる。
【００５３】
なお、この実施形態において、カバー部材４０の配置位置を除いて設けられる建物外装材の厚さを、図７で示した外装材５の厚さと胴縁７の厚さとの合計と同じ又は略同じとし、これにより、建物外装材を柱２に直接取り付けようにしてもよい。
【００５４】
【発明の効果】
本発明によると、建物の表面部材に取付具のアーム部を挿通させるための挿通部が形成されている場合に、この挿通部にシーリング材を充填する作業を容易に行えるようになるという効果を得られる。
【図面の簡単な説明】
【図１】本発明の一実施形態に係る建物用付設物であるバルコニを示す建物の縦断面図である。
【図２】図１で示された取付具を建物外装材が取り付けられる前の建物躯体である柱に結合したときを示す斜視図である。
【図３】図２の後に、建物の柱等に建物外装材を取り付けたときを示す斜視図である。
【図４】図３の後に、建物にバルコニの根太を受けるための根太受け部材を取り付けたときを示す斜視図である。
【図５】図４のＳ５−Ｓ５線断面図である。
【図６】バルコニの妻梁を図２の取付具を介して建物に取り付けた後における建物の縦断面図である。
【図７】取付具のベース部がカバー部材で覆われる別実施形態を示す図６と同様の図である。
【図８】従来の取付具を建物外装材が取り付けられる前の建物の柱に取り付けた状態を示す斜視図である。
【図９】図８の後に、建物の柱等に建物外装材を取り付けたときを示す斜視図である。
【図１０】取付具と建物外装材との間の隙間にシーリング材を充填した後における図９のＳ１０−Ｓ１０線断面図である。
【図１１】バルコニの妻梁を図８の取付具を介して建物に取り付けた後における建物の縦断面図である。
【符号の説明】
１  建物
２  建物躯体である柱
５  建物の表面部材である外装材
５Ａ  挿通部である切欠部
６  シーリング材
１１  建物用付設物であるバルコニ
２１  取付具
２２  ベース部
２３  アーム部
２３Ａ  ウェブ
２３Ｂ  フランジ
２３Ｃ  閉空間
２４  遮蔽部材
４０  カバー部材
４０Ａ  挿通部である貫通孔
Ｓ  隙間
【図１】
0004413392.tif 000002
【図２】
0004413392.tif 000003
【図３】
0004413392.tif 000004
【図４】
0004413392.tif 000005
【図５】
0004413392.tif 000006
【図６】
0004413392.tif 000007
【図７】
0004413392.tif 000008
【図８】
0004413392.tif 000009
【図９】
0004413392.tif 000010
【図１０】
0004413392.tif 000011
【図１１】
0004413392.tif 000012